(57)【特許請求の範囲】
【請求項１】
パネル要素取付孔をそれぞれ有し離間して設けた１対の支柱間に板面を有するとともにねじ挿通孔を備えたパネル要素を取り付けるのに用いるものであって、支柱に固定するための固定部と、前記支柱間に前記パネル要素を取り付けるためのパネル要素取付部を具備し、前記パネル要素取付部及び固定部が、少なくとも前記支柱から対向する支柱に向けて突出した１対の挟持体により構成されるとともに、前記１対の挟持体により前記パネル要素及び支柱を挟み込んで固定するようにし、
一方の挟持体の固定部を構成する部位に固定部ねじ挿通孔、該挟持体のパネル要素取付部を構成する部位にパネル要素取付部ねじ挿通孔をそれぞれ設けるとともに、他方の挟持体の固定部を構成する部位に固定雌ねじ部、該挟持体のパネル要素取付部を構成する部位にパネル要素取付雌ねじ部をそれぞれ設け、
前記パネル要素取付部ねじ挿通孔、前記パネル要素のねじ挿通孔、及び前記パネル要素取付雌ねじ部を重合させて雄ねじをねじ止めしてこの１対の挟持体間にパネル要素を配置して固定するようにしつつ、前記固定部ねじ挿通孔、前記パネル要素取付孔、及び前記固定雌ねじ部を重合させて雄ねじをねじ止めしてねじ作用により前記１対の挟持体により前記支柱を挟み込んで固定するようにし、
１対の挟持体の内部それぞれに弾性を有する材料により構成した支柱押さえ部材及びパネル要素押さえ部材を設け、これら支柱押さえ部材及びパネル要素押さえ部材の表面が挟持体の端面よりも内側に突出させていることを特徴とするパネル要素取付具。
【請求項２】
前記パネル要素取付部を構成する１対の挟持体間に、パネル要素の縁部と係合するパネル要素取付溝を形成していることを特徴とする請求項１記載のパネル要素取付具。
【請求項３】
前記固定部の挟持体間に支柱取付溝をさらに形成し、この支柱取付溝に支柱を嵌め込むようにしていることを特徴とする請求項１又は２記載のパネル要素取付具。
【請求項４】
前記１対の挟持体が、略又は完全に同一形状をなすことを特徴とする請求項１、２又は３記載のパネル要素取付具。
【請求項５】
前記パネル要素押さえ部材を取り外し可能に構成していることを特徴とする請求項１、２、３又は４記載のパネル要素取付具。
【請求項６】
請求項１、２、３、４又は５記載のパネル要素取付具を用いて、前記パネル要素を支柱に沿って間欠的に保持するようにしていることを特徴とするパネル要素取付構造。
【発明の詳細な説明】
【０００１】
【発明の属する技術分野】
本発明は、支柱間に取り付けられ空間を区切るパネル要素を支柱に取り付けるパネル要素取付具、及びこのパネル要素取付具を用いたパネル要素取付構造に関する。
【０００２】
【従来の技術】
従来、広い空間を区切るために、支柱を立てて支柱間にパネル要素を挟み込んでパネルを形成することが行われている。
【０００３】
このようなパネルを形成する際、従来、１対の支柱の互いに対向する支柱に向かった面にパネル要素取付溝を設けて、このパネル要素取付溝に上からパネル要素を嵌め込む方式や、いわゆるけんどん方式等が行われている。
【０００４】
【発明が解決しようとする課題】
一方、パネル要素は用途に応じてさまざまな材質で構成されたものがあり、またそれに応じてさまざまな厚さに構成されている。しかし、パネル要素取付溝に上からパネル要素を嵌め込む方式では、支柱にパネル要素取付溝を設けているので、パネル要素の厚さはこのパネル要素取付溝の溝幅と略一致するものに限定されてしまうという不具合が存在する。けんどん方式の場合も、同様に支柱にパネル要素取付溝を設けているので、同様の不具合が生じる。従って、厚さの異なるパネル要素を取り付けるためには、別途異なる幅寸法の溝を有する支柱を採用する必要がある。
【０００５】
本発明は以上に述べた課題を解決すべく、さまざまな厚さのパネル要素を共通の支柱間に取り付けることができるように構成したものである。
【０００６】
【課題を解決するための手段】
すなわち本発明に係るパネル要素取付具は、パネル要素取付孔をそれぞれ有し離間して設けた１対の支柱間に板面を有するとともにねじ挿通孔を備えたパネル要素を取り付けるのに用いるものであって、支柱に固定するための固定部と、前記支柱間に前記パネル要素を取り付けるためのパネル要素取付部を具備し、前記パネル要素取付部及び固定部が、少なくとも前記支柱から対向する支柱に向けて突出した１対の挟持体により構成されるとともに、前記１対の挟持体により前記パネル要素及び支柱を挟み込んで固定するようにし、一方の挟持体の固定部を構成する部位に固定部ねじ挿通孔、該挟持体のパネル要素取付部を構成する部位にパネル要素取付部ねじ挿通孔をそれぞれ設けるとともに、他方の挟持体の固定部を構成する部位に固定雌ねじ部、該挟持体のパネル要素取付部を構成する部位にパネル要素取付雌ねじ部をそれぞれ設け、前記パネル要素取付部ねじ挿通孔、前記パネル要素のねじ挿通孔、及び前記パネル要素取付雌ねじ部を重合させて雄ねじをねじ止めしてこの１対の挟持体間にパネル要素を配置して固定するようにしつつ、前記固定部ねじ挿通孔、前記パネル要素取付孔、及び前記固定雌ねじ部を重合させて雄ねじをねじ止めしてねじ作用により前記１対の挟持体により前記支柱を挟み込んで固定するようにし、１対の挟持体の内部それぞれに弾性を有する材料により構成した支柱押さえ部材及びパネル要素押さえ部材を設け、これら支柱押さえ部材及びパネル要素押さえ部材の表面が挟持体の端面よりも内側に突出させていることを特徴とする。
【０００７】
このように構成したものであれば、前記パネル要素取付部を対向する支柱に向けて突出した１対の挟持体により構成しているので、挟持体間の幅をさまざまに用意したり可変に構成することができ、１対の支柱に溝を設けてパネル要素を取り付ける従来の構成と異なり、さまざまな厚さのパネル要素を共通の支柱に取り付けることができるようになる。
【０００８】
加えて、一方の挟持体の固定部を構成する部位に固定部ねじ挿通孔、該挟持体のパネル要素取付部を構成する部位にパネル要素取付部ねじ挿通孔をそれぞれ設けるとともに、他方の挟持体の固定部を構成する部位に固定雌ねじ部、該挟持体のパネル要素取付部を構成する部位にパネル要素取付雌ねじ部をそれぞれ設け、前記パネル要素取付部ねじ挿通孔、前記パネル要素のねじ挿通孔、及び前記パネル要素取付雌ねじ部を重合させて雄ねじをねじ止めしてこの１対の挟持体間にパネル要素を配置して固定するようにしつつ、前記固定部ねじ挿通孔、前記パネル要素取付孔、及び前記固定雌ねじ部を重合させて雄ねじをねじ止めしてねじ作用により前記１対の挟持体により前記支柱を挟み込んで固定するようにしているので、パネル要素を安定してかつ簡単に取り付けることができる。
【０００９】
さらに、１対の挟持体の内部それぞれに弾性を有する材料により構成した支柱押さえ部材及びパネル要素押さえ部材を設け、これら支柱押さえ部材及びパネル要素押さえ部材の表面が挟持体の端面よりも内側に突出させているので、弾性力によりパネル要素を安定して挟み込むようにできると同時に、ガラス等力を加えると割れやすい材料を安全に挟み込むことができるようになる。
【００１０】
パネル要素を安定して取り付けるようにするには、前記パネル要素取付部を構成する１対の挟持体間に、パネル要素の縁部と係合するパネル要素取付溝を形成すればよい。このパネル要素取付溝にパネル要素が接するのでパネル要素が前後にがたつきにくくなるからである。
【００１１】
特に、前記固定部の挟持体間に支柱取付溝をさらに形成し、この支柱取付溝に支柱を嵌め込むようにしているものであれば、このパネル要素取付具を支柱取付溝の作用により前後にがたつきにくくできるようになる。
【００１３】
特に、この１対の挟持体が略または完全に同一形状をなすものであれば、同一の金型を使用できるので、製造の手間を省くことができるようになる。また、パネル要素を支柱に取り付けた状態において前後対称の形状にできるので、外観を好適なものにできる。
【００１４】
このようなパネル要素保持具の具体的な態様の一例として、前記１対の挟持体間に、パネル要素取付溝と支柱取付溝とが同時に形成されるように構成しているものを挙げることができる。
【００１６】
特に、前記パネル要素押さえ部材を取り外し可能に構成しているものであれば、パネル要素の材料に応じて前記挟持体のパネル要素に接する面を構成する部分の材質を選択可能にするようにできる。
【００１７】
このようなパネル要素保持具を用いて、前記パネル要素を支柱に沿って間欠的に保持するようにすれば、１対の支柱に溝を設けてパネル要素を取り付ける従来の構成と異なり、支柱間の空間の中間部又は／及び下端部にパネル要素を配置しない空間を設けることができるようになる。
【００１８】
なお、「板面を有するパネル要素」とは、本発明においてはパネルのうち板面を有する部材全般を含む概念であり、板体に限らず、例えばスクリーン等、空間を区切る機能を有するものは全て含まれる。また、「挟持体」とは、前記パネル要素を挟み込むことができるもの全般を含む概念であり、ねじ頭やナット等も含まれ得る。
【００１９】
【発明の実施の形態】
以下に本発明の一実施形態について述べる。
【００２０】
本実施形態に係るパネル要素取付具１は、図１及び図２に示すように、離間して設けた１対の支柱たるパネル支持支柱２間に板面を有するパネル要素３を取り付けるためのものであり、これらパネル要素取付具１、パネル支持支柱２、及びパネル要素３は、パネルＯＰ１を形成する。このパネルＯＰ１は、図１に示すように、複数の支柱４を床面Ｆに略等間隔で配置するとともに、隣接する支柱４間に桟５を支持させて形成した本実施形態の構造体Ｐのオプション部材として取り付け得るようにしたものである。図１に、前記構造体Ｐによってオフィス空間に所定の作業空間、いわゆる作業空間モジュールを形成したものを概略的に示す。支柱１には、オプション部材としてパネルＯＰ１以外に、デスク用の天板ＯＰ２、棚用円形天板ＯＰ３、及び照明器具ＯＰ４等を取り付け得るようにしている。
【００２１】
前記パネル支持支柱２は、図３に示すように、本実施形態では平断面視十字状をなす柱状の本体２１と、この本体２１の下端部に設けたアジャスタ２２と、前記本体２１の上端部に設けられ、ばねを利用したプッシュラッチを有するパネル支持支柱取付部２３とを具備する。前記本体２１には、所定のピッチでパネル要素取付孔２ａが設けてある。また、アジャスタ２２と本体２１の中間には、その上面が本体２１の下端に接するように支柱押さえ板２２１を設けてある。さらに、図４に示すように、ビームアタッチメント２４及びストッパ部材２５を桟５に設けた溝５ａに取り付け、このビームアタッチメント２４及びストッパ部材２５を介して前記パネル支持支柱取付部２３を桟５の所定位置に固定するようにしている。
【００２２】
一方、図１及び図２に示すように、パネル要素３は板面を有する板状のものであり、本実施形態ではアクリル板やベニヤ板等、さまざまな材質で形成したさまざまな厚さを有する板を使用するようにしている。
【００２３】
しかして、本実施形態では、図２及び図５に示すように、前記パネル要素取付具１は、パネル支持支柱２に固定するための固定部１ａと、前記パネル支持支柱２間に前記パネル要素３を取り付けるためのパネル要素取付部１ｂを具備する。さらに、前記パネル要素取付部１ｂは、前記パネル支持支柱２から対向するパネル支持支柱２に向けて突出した１対の挟持体たる前挟持体１１と後挟持体１２とにより構成され、この１対の前挟持体１１と後挟持体１２とにより前記パネル要素３を挟み込んで固定するようにしている。さらに、前記前挟持体１１と前記後挟持体１２とは、前記固定部１ａをも構成していて、パネル要素３とパネル支持支柱２とを同時に挟み込むようにしている。加えて、前記前挟持体１１と前記後挟持体１２との間には、パネル要素取付溝１ｂ１と支柱取付溝１ａ１とが形成されるようにしてあり、パネル要素３の縁部をパネル要素取付溝１ｂ１に係合させるとともに、支柱取付溝１ａ１にパネル支持支柱２を嵌め込むようにしている。そして、前記前挟持体１１と前記後挟持体１２とは、略同一形状をなしている。
【００２４】
より具体的には、前記前挟持体１１は、図６に示すように、略半球状をなす前固定部１１ａと、より大きな略半球状をなす前パネル要素取付部１１ｂと、これらの中間に位置する前連結部１１ｃとを有する。また、前記前固定部１１ａの正面視中心部に固定部ねじ挿通孔１１ｘが形成してあるとともに、前パネル要素取付部１１ｂの正面視中心部にパネル要素取付部ねじ挿通孔１１ｙが形成してある。一方、前記後挟持体１２も、図７に示すように、略半球状をなす後固定部１２ａと、より大きな半球状をなす後パネル要素取付部１２ｂと、これらの中間に位置する後連結部１２ｃとを有する。さらに、前記後固定部１２ａの正面視中心部に固定雌ねじ部１２ｘが形成してあるとともに、後パネル要素取付部１２ｂの正面視中心部にパネル要素取付雌ねじ部１２ｙが形成してある。さらに、前挟持体１１及び後挟持体１２の内部には、弾性を有する材料により構成した支柱押さえ部材１４１及び同じく弾性を有する材料により構成したパネル要素押さえ部材１４２を設けている。これら支柱押さえ部材１４１及びパネル要素押さえ部材１４２は、その表面が前挟持体１１及び後挟持体１２の端面よりも内側に突出するようにしている。前記固定ねじ挿通孔１１ｘと前記固定雌ねじ部１２ｘとは、図５に示すように、前記前連結部１１ｃと前記後連結部１２ｃとを突き合わせる事により重合する。また、前記パネル取付ねじ挿通孔１１ｙと前記パネル要素取付雌ねじ部１２ｙとも、図５に示すように、前記前連結部１１ｃと前記後連結部１２ｃとを突き合わせる事により重合する。そして雄ねじ１３によりこれらを連結するようにしている。このとき、前固定部１１ａと後固定部１２ａとにより前記固定部１ａが形成され、さらにこれらの間に支柱取付溝１ａ１が形成される。また、前パネル要素取付部１１ｂと後パネル要素取付部１２ｂとにより前記パネル要素取付部１ｂが形成され、さらにこれらの間にパネル要素取付溝１ｂ１が形成される。そして、前記支柱取付溝１ａ１でパネル支持支柱２を挟み込むようにし、パネル支持支柱２に設けたパネル取付孔２ａと前記固定ねじ挿通孔１１ｘと固定雌ねじ部１２ｘとを重合させて、雄ねじ１３をねじ止めして固定部１ａをパネル支持支柱２に固定するようにしている。また、パネル要素取付溝１ｂ１にパネル要素３の縁部をはめ込むようにし、パネル要素３に設けた図示しないねじ挿通孔とパネル要素取付ねじ挿通孔１１ｙとパネル要素取付雌ねじ部１２ｙとを重合させ、雄ねじ１３をねじ止めしてパネル要素３をパネル要素固定部１ｂに固定するようにしている。このとき、パネル要素３は、パネル要素取付具１を介してパネル支持支柱２に間欠的に保持されている。また、パネル要素押さえ部材１４２は弾性変形して、前挟持体１１及び後挟持体１２の端面と略面一になる。このとき、パネル要素３の縁部は、正面及び背面の両側からパネル要素押さえ部材１４２により押さえられているので、パネル要素押さえ部材１４２から弾性力を受けて保持されている。
【００２５】
以上、１対の挟持体１１、１２によりパネル要素３を挟み込んで固定するようにしているので、上述したようにパネル要素取付１ｂ１の溝幅を複数用意することにより、さまざまな厚さのパネル要素３を同じ１対のパネル支持支柱２に取り付けることができる。
【００２６】
特に、パネル要素取付溝１ｂ１とパネル要素３の縁部を係合させているので、パネル要素３が前後にがたつきにくくなり安定して取り付けることができる。
【００２７】
さらに、１対の挟持体１１、１２によりパネル支持支柱２をも挟み込むようにしているので、けんどん方式と異なり、パネル要素３を上部のみ、又は高さ方向中央部のみに取り付けるようにもできる等、パネル要素３の取り付け方の自由度を増すことができる。
【００２８】
そして、支柱押さえ部材１１１及びパネル要素押さえ部材１１２を弾性を有する材料により構成しているので、パネル要素３がガラス等の壊れやすい材料で形成されていてもパネル要素３をしっかり取り付けることができる。
【００２９】
なお、本発明は以上に述べた実施形態に限られない。
【００３０】
例えば、支柱へのパネル要素取付具の取り付け方法は、上述したように固定部で支柱を挟み込む代わりに、例えば支柱に雌ねじ部を設けて雄ねじ部材でパネル要素取付具を取り付ける態様や、パネル要素取付具と支柱との間に凹凸係合部を設けて取り付ける態様等が考えられる。
【００３１】
また、パネル要素取付部を形成する１対の挟持体のうち一方を支柱取付部と別体に構成し、パネル取付溝の溝幅を可変にする態様や、挟持体間にばねを設け、パネル要素をばねの弾性力を用いて挟み込むような態様も考えられる。
【００３２】
さらに、１対の挟持体は、必ずしも同一形状をとる必要はない。
【００３３】
また、上述した実施形態のパネル要素押さえ部材１４２を取り外し可能に構成して、パネル要素３の材質に応じてさまざまな材質のパネル要素押さえ部材１４２を取り付けるようにしてもよい。
【００３４】
そして、板面を有するパネル要素としては、パンチング板や、凹凸面を有する化粧板や、さらにスクリーン等、空間を仕切る機能を有するもの全般を用いることができる。
【００３５】
その他、本発明の趣旨を損ねない範囲でさまざまに改変してよい。
【００３６】
【発明の効果】
本発明では、支柱に固定するように構成したパネル要素取付具に１対の挟持体を設け、前記１対の挟持体により前記パネル要素を挟み込んで固定するようにしているので、従来のいわゆるけんどん方式と異なりさまざまな厚さのパネル要素を共通の支柱に無理なく適切に取り付けることができ、従って構成の自由度の向上を図ることができる。
加えて、一方の挟持体の固定部を構成する部位に固定部ねじ挿通孔、該挟持体のパネル要素取付部を構成する部位にパネル要素取付部ねじ挿通孔をそれぞれ設けるとともに、他方の挟持体の固定部を構成する部位に固定雌ねじ部、該挟持体のパネル要素取付部を構成する部位にパネル要素取付雌ねじ部をそれぞれ設け、前記パネル要素取付部ねじ挿通孔、前記パネル要素のねじ挿通孔、及び前記パネル要素取付雌ねじ部を重合させて雄ねじをねじ止めしてこの１対の挟持体間にパネル要素を配置して固定するようにしつつ、前記固定部ねじ挿通孔、前記パネル要素取付孔、及び前記固定雌ねじ部を重合させて雄ねじをねじ止めしてねじ作用により前記１対の挟持体により前記支柱を挟み込んで固定するようにしているので、パネル要素を安定してかつ簡単に取り付けることができる。
さらに、１対の挟持体の内部それぞれに弾性を有する材料により構成した支柱押さえ部材及びパネル要素押さえ部材を設け、これら支柱押さえ部材及びパネル要素押さえ部材の表面が挟持体の端面よりも内側に突出させているので、弾性力によりパネル要素を安定して挟み込むようにできると同時に、ガラス等力を加えると割れやすい材料を安全に挟み込むことができるようになる。
【図面の簡単な説明】
【図１】本発明の一実施形態に係るパネル要素取り付け具を用いたパネルの使用例を示す概略図。
【図２】同実施形態に係るパネル要素取り付け具を用いたパネルを示す正面図。
【図３】同実施形態に係るパネルに用いるパネル支持支柱を示す（ａ）正面図及び（ｂ）平面図。
【図４】同実施形態に係るパネルに用いるパネル支持支柱の取り付けを示す概略図。
【図５】同実施形態に係るパネルの取り付け部分の平断面図。
【図６】同実施形態に係るパネル要素取付具を構成する前挟持体の（ａ）平面図及び（ｂ）側面図。
【図７】同実施形態に係るパネル要素取付具を構成する後挟持体の（ａ）平面図及び（ｂ）側面図。
【符号の説明】
１…パネル要素取付具
１ａ…固定部
１ａ１…支柱取付溝
１ｂ…パネル要素取付部
１ｂ１…パネル要素取付溝
１１…前挟持体（挟持体）
１２…後挟持体（挟持体）
２…パネル支持支柱（支柱）
３…パネル要素
【図１】
0003961337.tif 000002
【図２】
0003961337.tif 000003
【図３】
0003961337.tif 000004
【図４】
0003961337.tif 000005
【図５】
0003961337.tif 000006
【図６】
0003961337.tif 000007
【図７】
0003961337.tif 000008